(57)【要約】【課題】　本発明の目的は、酸化雰囲気でもＮＯｘを分解することのできる触媒を用いた場合に、この触媒の最も浄化効率の良い状態を作り出すことにある。【解決手段】　ＮＯｘ分解触媒１は、排気中のＮＯｘ，ＨＣの濃度がある定められた関係のときに、最も良くＮＯｘ，ＨＣの両者とも浄化することができる。このため、触媒前の排気のＮＯｘ，ＨＣの濃度がある定められた関係になるようにする。このＮＯｘ，ＨＣの濃度を検出するためのセンサ７を触媒１のまえに設けている。また、ＨＣ平滑部材８を設けて、ＨＣの時間的変動を平均化している。【効果】　本発明によれば、機関のどんな運転状態でもＮＯｘを効率良く浄化できるので、排気規制と燃費規制を高レベルで同時に達成することができる。【選択図】図１
2004076743.tif 000002
【特許請求の範囲】
【請求項１】
　内燃機関の排気ガスを触媒を用いて浄化する排気浄化装置において、前記触媒の前に
ＨＣ流動平滑部材を設けると共に前記触媒の浄化効率が最も良くなるように、複数の排気成分の濃度をある特定の値になるようにすることを特徴とした排気濃度フィードバック装置。
【請求項２】
　請求項１において、複数の排気成分の濃度比をある特定の値になるようにすることを特徴とした排気濃度フィードバック装置。
【請求項３】
　請求項１において、エンジンに供給する空燃比を制御することにより、複数の排気成分の濃度をある特定の値になるようにすることを特徴とした排気濃度フィードバック装置。
【請求項４】
　請求項１において、複数の排気成分のうち、少なくとも一つの排気成分の濃度を変化させることのできる装置を設けたことを特徴とした排気濃度フィードバック装置。
【請求項５】
　請求項１において、複数の排気成分の濃度の少なくとも一つを検出する装置を設けたことを特徴とした排気濃度フィードバック装置。
【請求項６】
　請求項１において、複数の排気成分の濃度の少なくとも一つを機関の運転状態から推定することを特徴とした排気濃度フィードバック装置。
【請求項７】
　請求項１において、前記触媒はＮＯｘを酸化雰囲気でも分解することのできる触媒としたことを特徴とした排気濃度フィードバック装置。
【請求項８】
　請求項１において、前記ＨＣ流動平滑部材はＨＣ吸着材であることを特徴とした排気濃度フィードバック装置。
【発明の詳細な説明】
【技術分野】
【０００１】
　内燃機関の排気ガスを浄化する排気浄化装置に関するもので、特に酸化雰囲気でもNOxを分解することのできる触媒を用いた場合の制御法に関するものである。
【背景技術】
【０００２】
　従来の装置では、特開昭58−59331 号公報に記載のように、炭化水素（ＨＣ）のみを検出して、失火を防止するためにその値がある特定の値を超えないように空燃比を制御するものであり、本発明のように触媒の浄化効率が良くなるように、複数の排気濃度を制御するものではない。
【０００３】
　また、特開平2−91443号公報に記載のように、理論空燃比へのフィードバックと過渡時のＣＯ検出を組み合わせたものがある。しかし、過渡時のＣＯスパイク量を所定値に学習制御するものであり、触媒の浄化効率を向上する手法に関しては考慮していない。
【特許文献１】特開昭５８−５９３３１号公報
【特許文献２】特開平２−９１４４３号公報
【発明の開示】
【発明が解決しようとする課題】
【０００４】
　本発明の目的は、酸化雰囲気でもＮＯｘを分解することのできる触媒を用いた場合に、この触媒の最も浄化効率の良い状態を作り出すことにある。
【課題を解決するための手段】
【０００５】
　上記目的を達成するには、触媒前の排気濃度をある特定の値にする装置と、触媒の温度をある特定の範囲に保つ装置が必要である。
【発明の効果】
【０００６】
　本発明によれば、機関のどんな運転状態でもＮＯｘを効率良く浄化できるので、排気規制と燃費規制を高レベルで同時に達成することができる。
【発明を実施するための最良の形態】
【０００７】
　図１に、本発明の一実施例を示す。図においてＮＯｘ分解触媒１が排気管２に設けられており、エンジン３から排出される排気を浄化する。ここでＮＯｘ分解触媒１は、浄化効率が良い温度範囲が限られている。このため、本実施例では、適切な温度範囲に制御するための加熱，冷却系４が設けられており、コントロールユニット５の信号により動作するようになっている。エンジン３が冷えているときは、加熱装置を動作させて触媒１を加熱し、浄化効率の良い温度に制御する。また、エンジン３が暖機された後は、浄化効率の良い温度になるように冷却する。このように、触媒１の温度を制御すると、常に効率の良い状態に保つことができる。この温度制御を実現するために、触媒１の温度を温度センサ６で検出し、この信号をコントロールユニット５に入力している。
【０００８】
　ＮＯｘ分解触媒１は、排気中のＮＯｘ，ＨＣの濃度がある定められた関係のときに、最も良くＮＯｘ，ＨＣの両者とも浄化することができる。このため、本実施例では、触媒前の排気のＮＯｘ，ＨＣの濃度がある定められた関係になるようにする。このため、ＮＯｘ，ＨＣの濃度を検出するためのセンサ７を触媒１のまえに設けている。また、ＮＯｘ，
ＨＣの濃度は後述するように、空燃比と運転状態（回転数，負荷，温度）から推定することができる。この場合は、センサ７は空燃比を検出するセンサでよい。
【０００９】
　エンジンの排気（ＨＣ）は、排気弁の動作に対応して時間的に変動している。このため、触媒１の前のＨＣも時間的に変動してしまい、最適なＮＯｘ，ＨＣの関係を保つことができなくなる。本発明では、ＨＣ流動平滑部材８を設けて、ＨＣの時間的変動を平均化している。また、噴射弁９から噴射される燃料の粒子を小さくする（微粒化）ことによっても、排気のＨＣを平滑化することができる。
【００１０】
　図２，図３に、ＮＯｘ分解触媒のＮＯｘ浄化原理を示した。この触媒１は、酸素がある酸化雰囲気でもＮＯｘを浄化することができる。図２に示したように、触媒１の表面で始めにＨＣと酸素が爆発的に反応し、酸素を触媒１表面から除去する。次に、図３のように、ＮＯｘが触媒１の表面に選択的に吸着し、分解される。これにより、ＮＯｘとＨＣが同時に浄化される。次にまた、触媒１の表面でＨＣと酸素が反応する。以上の原理により、酸化雰囲気でもＮＯｘを除去できる。本発明は、この触媒を効率良く動作させるための装置とその制御法に関するものである。
【００１１】
　図４に、ＮＯｘ分解触媒の特性を示した。図４は、ＮＯｘ，ＨＣの比（ＮＯｘ／ＨＣ）と浄化率の関係を示した。ＮＯｘ／ＨＣが小さくＨＣが多い場合は、ＮＯｘは全て浄化されるが、ＨＣが酸化されずに残ってしまう。また、ＮＯｘ／ＨＣが大きくＮＯｘが多い場合は、ＮＯｘが浄化されずに、残ってしまう。つまり、ＮＯｘ，ＨＣの両者が共に浄化されるにはＮＯｘ／ＨＣが最適な値になっている必要がある。具体的にはＮＯｘ／ＨＣ＝
１.２〜０.７付近が最も良いことが実験で確認できた。本発明では、このために排気ガス中の濃度を制御する。また図５に、触媒の温度とＮＯｘの浄化率の関係を示した。ある温度範囲以下でも、以上でも浄化効率は低下する。このため、本発明では触媒の温度を、加熱，冷却系を設けて制御する。
【００１２】
　次に図６に、排気中のガス濃度を検出するための、センサの一実施例を示した。本センサは、光の吸収によりガス濃度を測定するものである。ある特定の波長の光をだす発光素子１０と、受光素子１１があり、排気ガスが通路１３を通ったときの受光素子１１の受光量によりガス濃度を測定する。検出用の回路１２はセンサの内部に設けた。排気は保護管１４の通路１５を通ってセンサ部に導かれる。センサ部のＡ−Ａ断面を図７に示す。本実施例では、発光素子１０の光を複数の受光素子１１ａ，１１ｂで受光する。ここでは、必要な波長の光を検出するために、受光素子１１ａ，１１ｂのまえに光フィルタ１６ａ，
１６ｂを設けた。これは、例えばＮＯｘとＨＣの吸収波長の光フィルタを設ける。図８に、光の波長と透過率の関係を示す。例えば、λ1はＮＯｘの吸収波長、λ2がＨＣの吸収波長とすると、その波長の光はガスに吸収され受光量が減少する。このため、受光素子の出力を検出すれば、ガスの濃度がわかる。
【００１３】
　図９に、本センサの特性を示した。図９は、ＨＣ，ＮＯｘ量と検出出力の関係を示した。ＨＣ，ＮＯｘ量が減少すると、検出出力は減少する。本発明の実施例では、ＮＯｘ／
ＨＣを知りたいので、それぞれの検出値の割算の結果を出力する回路の一実施例を図１０に示す。光フィルタ１６ａ，１６ｂと受光素子１１ａ，１１ｂを介したＮＯｘ，ＨＣそれぞれに対応した信号が、アンプ１７ａ，１７ｂにより増幅される。これらの信号を割算器１８に入力し、ＮＯｘ／ＨＣの信号を作る。この信号を、マイクロコンピュータ５に入力し制御に使用する。
【００１４】
　図１１に、空燃比と排気濃度の関係を示す。従来の装置では、三元触媒を用いているので、制御目標空燃比を（イ）の理論空燃比(Ａ／Ｆ＝１４.７）にしていた。本発明では、リーン空燃比でもＮＯｘを直接分解できる触媒を用いているので、制御目標空燃比をリーン空燃比に設定できる。本発明では、このリーン空燃比において、ＮＯｘ／ＨＣが浄化効率の良い値になる空燃比（ロ）に制御する。また、目標空燃比は、リーン燃焼限界（ハ）より小さい空燃比とする。もし浄化効率の良いＮＯｘ／ＨＣとなる空燃比が複数個有った場合は、その中で最も大きい空燃比に制御する。
【００１５】
　図１２に、エンジンのＨＣ排出の原理と、排出状況を示す。図１２に示したように、エンジンの燃焼室２０内では、ヘッド２１とピストン２２の頭部に、斜線で示したように燃料の液膜が付着する。この燃料液膜が、未燃のまま排気管中に排出される。この時の排出状況は、図１３に示したように、排気行程中の初期に、（イ）に示すようにシリンダヘッド２１に付着した燃料が多量に排出される、また、ピストン頭部に付着した燃料は、(ロ)に示すように排気行程の後期に排出される。このように、ＨＣの排出は、排気行程中に変動してしまう。このために、触媒前のＨＣ濃度が変動すると、ＮＯｘ／ＨＣの値が大きく変動し触媒の浄化効率が低下する。このＨＣの変動を平滑化する必要がある。
【００１６】
　ＨＣ排出量の変動を平滑化する手段を図１４に示す。そして、この装置を触媒の上流に設けることでＨＣ排出量の変動を抑制できるものである。図１４は、排気管中にハニカム状の通路２３を設けて、ＨＣを付着させて平滑化させる。図１５は、流路を変更させるような段違いの通路２４を、排気管中に設け、ＨＣが部材に衝突して平滑化される。図１６は、ＨＣを吸着する材料２５を排気管中に設ける構造である。例えばゼオライト系の材料がある。これは、ＨＣが多量に排出される、低温時にはＨＣを吸着して、ＨＣ排出が少なくなる暖機時には、ＨＣを徐々に脱着する。このため、ＨＣ排出量が平滑化される。図
１６に、エンジン始動直後のＨＣ状況を示した。始動直後は排気温度が低く、ＨＣ排出量が多い。また、この時期は、ＮＯｘ排出量は少ないので、ＮＯｘ／ＨＣの値が最適とならずＮＯｘ分解触媒の浄化効率が低下する。始動直後のＨＣ排出量を平滑化する必要がある。吸着材で用いた場合の効果を図１２に示す。始動直後はＨＣが吸着されるので、排気管へのＨＣ排出量は少ない。このため、ＮＯｘ／ＨＣを最適な状態に保つことができる。この様に、吸着材はＨＣの平滑化に有効である。
【００１７】
　図１８に、触媒温度の制御法を示す。図１８は、始動直後の触媒温度の変化を示した。始動直後の触媒温度は、エンジンが暖機されてないので、低く触媒が活性化されず、排気浄化効率が悪い。また、エンジンが高負荷で運転すると、排気温度が異常に高くなり触媒の浄化効率が再び低下する。ＮＯｘ分解触媒などの、浄化効率を良く保つには、最適な温度範囲に制御しなければならない。本発明では、触媒温度を（イ）の点線のように制御して、常に効率のよい状態に保つことを目的とした。その装置を図１９に示す。排気管２に、触媒１が設けられている。この触媒は、例えば、金属担体に触媒材料（例えば、Ｃｕゼオライト系）を担持したものである。この金属担体に、電源３０により電流を供給して、触媒１を電気加熱する。始動直後の低温時には、この電気加熱により触媒１を最適な温度に加熱する。また、エンジンが高負荷運転状態になったら、冷却水３１を循環させ触媒を冷し最適な温度に制御する。冷却水３１の制御は、触媒温度センサ６の信号により、冷却水配管系に設けた電磁バルブ３２をＯＮ，ＯＦＦさせて行う。この冷却水は、例えばラジエター３３，ファン３４により冷却される。このように、加熱，冷却手段を制御して、触媒の温度を浄化効率の最も良い温度に保つ。
【００１８】
　図２０に、触媒前の排気濃度を最適な値に制御するためのフローチャートを示した。初めにステップ２０で、機関の運転状態をそれぞれのセンサからリードする。運転状態は、例えば、回転数Ｎ，負荷としての吸入空気量Ｑａ，排気温度Ｔｅ等である。次にステップ２０１でこの運転状態から、制御する目標空燃比Ａ／Ｆを設定する。ステップ２０２で目標空燃比になったら排気濃度センサの検出値をリードする。次に、ステップ２０３でこの検出した実際の濃度と、触媒の浄化効率が最適になる濃度を比較する。ステップ２０４で一致していない場合は、目標空燃比を変更する。このようにして、排気濃度を常に最適な値に制御することができる。
【００１９】
　図２１に、触媒温度を制御するための制御フローを示す。ステップ２１０で触媒センサ６の検出値をリードする。ステップ２１１でこの実際の温度が、目標値になっていれば、フローを終わる。ステップ２１１で目標値以外であれば、ステップ２１２で目標値より大きいか、小さいかを判断し、大きい場合はステップ２１３で冷却動作を開始する。また、目標値より小さい場合は、ステップ２１４で加熱動作を開始する。この制御を行うための装置の一例は、図１９に示した。
【００２０】
　図２２に、別の実施例を示した。この例ではＮＯｘ分解触媒１の前に酸化触媒４０と、排気管２に空気を導入する二次空気制御弁４１を設けた。ＮＯｘ分解触媒１は前述したように、ＮＯｘとＨＣの比が最適なときに浄化効率が最高になる。本実施例では、最適な比になるように、ＨＣ濃度を制御する。酸化触媒４０は、空気がある酸化雰囲気では、ＨＣを酸化する。エンジンから排出されるＨＣ濃度を、二次空気量を制御することにより酸化触媒４０で酸化させ、ＮＯｘ分解触媒１まえのＨＣ濃度を最適な値にする。酸化触媒４０前Ａと後Ｂの排気成分を、図２３，図２４に示した。それぞれ、横軸は二次空気量Ｑａ2 で縦軸は排気濃度である。酸素は、二次空気の中に含まれているものである。酸化触媒
４０前では、二次空気量を増加してもＮＯｘ，ＨＣは変化しない。酸化触媒４０後では、二次空気量の増加とともに、ＨＣ濃度のみが変化する。勿論、二次空気中の酸素も変化する。このように、二次空気量を変化させることにより、ＨＣ濃度が制御できる。ここで図２４に示すようにＮＯｘ／ＨＣの値が最適になる、（イ）の領域が制御の目標値である。ここの二次空気量になるように、マイクロコンピュータ５により、制御弁４１が制御される。制御量の決定は、排気濃度センサ７の信号に基づいて行われる。センサ７が検出したＨＣ量に応じて導入する二次空気量を決定し、制御弁４１を動作させる。センサ７は、酸化触媒４０とＮＯｘ分解触媒１の間でもよい。この場合は、ＮＯｘ／ＨＣの値が最適になっているか検証しながら制御弁４１を制御する、いわゆるフィードバック制御となる。以上のような動作は、エンジンの運転状態が、リッチでもリーンでも有効である。
【００２１】
　図２５に、制御のフローを示す。初めに、センサ７は、酸化触媒４０とＮＯｘ分解触媒１の間に設けられている場合の例を示す。ステップ２５０で目標空燃比に設定し、ステップ２５１でＮＯｘ／ＨＣ濃度を検出する。ステップ２５２でこの値が所定値より大きい場合は、ステップ２５３で二次空気量を減少させてＨＣ濃度を増加させる。また、所定値より小さい場合は、ステップ２５４で二次空気量を増加させる。尚、ステップ２５１での
ＮＯｘ／ＨＣの検出は、後に述べるように運転状態からの推定でもよい。
【００２２】
　図２６に、ＮＯｘ／ＨＣ濃度の推定の方法の一例を示した。図２６のように、エンジンの回転数と負荷によってＮＯｘ／ＨＣの代表値を記憶しておく。この値に図２７に示したように、排気温度をもとにした補正係数をかけて実際の濃度比を求める。
【００２３】
　図２２に示した、酸化触媒４０による、ＨＣ量の制御の変わりに、点火時期によりＨＣを変化させる方法を図２８に示す。図２８に示したように、点火時期を小さくしてＴＤＣ（上死点）に近づけると、ＨＣ排出量は低下する。これは、図２９に示したように、点火時期（矢印）を（イ）のように遅らせると、燃焼がＴＤＣ後もつづき、燃焼室内のＨＣが燃やされるためにＨＣ濃度が低下する。このように、点火時期を制御することによっても、ＨＣ濃度を制御でき、ＮＯｘ／ＨＣを最適な値に制御できる。
【００２４】
　図３０に、そのフローを示す。ステップ３００でエンジンに供給する空燃比を目標空燃比に設定し、ステップ３０１でＮＯｘ／ＨＣ濃度を検出する。ステップ３０２でこの値が所定値より大きい場合は、ステップ３０３で点火時期を進めてＨＣ排出量を大きくしNOx／ＨＣを小さくする。また、所定値より小さい場合は、ステップ３０４で点火時期を遅らせてＨＣ排出量を小さくしＮＯｘ／ＨＣを大きくする。ステップ３０１でのＮＯｘ／ＨＣの検出は、先に示した推定でもよい。
【００２５】
　ＮＯｘ／ＨＣを制御する別の方法を、図３１に示す。図３１に装置の構成を示した。
ＮＯｘ分解触媒１前の排気管中の排気のうち、ＮＯｘの濃度を制御する。このために、排気管２の排気を吸気管５０に戻す通路５１と制御弁５２を設けた。つまり排気還流装置である。この排気還流（ＥＧＲ）を行った場合の排気還流量（ＥＧＲ）と排気濃度との関係を図３２に示す。ＥＧＲ量が増加するとＮＯｘ排出量は減少する。燃焼が悪化して、ＨＣが増加し始める（イ）まではＥＧＲ量の変化によりＮＯｘ量を制御することができる。排気濃度センサ７の検出値をもとに、ＮＯｘ／ＨＣが最適な値になるように、ＥＧＲによるＮＯｘの制御を行う。
【００２６】
　図３３に、制御のフローを示す。ステップ３３０で目標空燃比に設定したのち、ステップ３３１でＮＯｘ／ＨＣを検出する。ステップ３３２でこの値が所定値より大きい場合は、ステップ３３３でＥＧＲ量を多くする。また、小さい場合は、ステップ３３４でＥＧＲ量を小さくする。
【００２７】
　図３４に、ＮＯｘ，ＨＣを制御する別の実施例を示す。排気濃度センサ５０をＮＯｘ分解触媒１の後に設けている。このセンサの検出値を基に、二次空気量の制御弁４１を制御して、ＮＯｘ，ＨＣ濃度を制御している。この場合、先に示した、点火時期，ＥＧＲによる制御でも良い。この例では、触媒１の浄化作用の結果を検出して制御量を決めているので、精度は向上する。図３５に、Ａ点での二次空気量Ｑａ2 と排気濃度の関係を示した。Ｑａ2 が最適な値になっている時に、ＮＯｘ，ＨＣが最小の値になっている。このような状態になるように、センサ５０の検出値を基にマイクロコンピュータ５で制御量を決定する。
【００２８】
　その制御のフローの一実施例を、図３６に示した。ステップ３６０で目標空燃比に設定したのち、ステップ３６１でセンサ５０によりＮＯｘ，ＨＣ濃度を検出する。ステップ
３６２で両者とも小さい場合は、フローを終わる。ＮＯの場合は、ステップ３６３で二次空気量Ｑａ2 を調節する。この二次空気量Ｑａ2 の調節のフローの一実施例を図３７に示す。ステップ３７０でＮＯｘが小さくＨＣが大きい場合は、ステップ３７１で二次空気量Ｑａ2 を増加させ、ＨＣ量のみを小さくする。ステップ３７２でまたＮＯｘが大きく、
ＨＣが小さい場合は、ステップ３７３で二次空気量Ｑａ2 を減少させ、ＨＣを大きくし
ＮＯｘ／ＨＣを最適な値にする。
【００２９】
　図３８に、別の実施例を示す。センサ５０は、ＮＯｘ分解触媒１の後に設けられている。このセンサ５０の信号を基に、二次空気制御弁４１を制御する。ただし、本実施例では、酸化触媒を用いていない。酸化触媒を用いた場合に比べて、効果はないが、排気管２に二次空気を導入しただけでも、ＨＣは酸化される。このように簡便な方法でも、発明の効果が得られる。制御のフローは図３６，図３７と同様である。
【００３０】
　次に図３９に触媒１の温度を制御する別の方法を示した。この方法は点火時期により排気温度を変化させて、触媒１の温度を間接的に制御するもので、図３９に点火時期と排気温度の関係を示した。点火時期が小さくなると、排気温度は上昇する。これは、図２８，図２９で述べたように、点火時期が小さいと、燃焼が後期まで続くためである。
【００３１】
　図４０に、温度制御のフローを示した。ステップ４００で触媒温度をリードして、ステップ４０１で目標範囲外のときで、ステップ４０２で目標より大きい場合はステップ403で点火時期を大きくして排気温度を下げる。目標より小さい場合は、ステップ４０４で点火時期を小さくして排気温度をあげる。
【００３２】
　図４１に、別の実施例を示した。この実施例は、エンジンからのＨＣ排出量を平滑化するためのものである。ＨＣ排出量を平滑化するためには、エンジンに供する燃料噴霧を均一化することが有効である。噴射弁６０として、燃料の微粒化の良い噴射弁を用いることが効果的である。本実施例では、気流により燃料を微粒化する噴射弁６０を用いた。微粒化用の空気を得るために、空気ポンプ６１を設け、空気通路６２を介して噴射弁６０に空気を送る。この噴射弁６０の燃料噴出部の構造を、図４２に示した。電磁弁によりニードル６３が持ち上げられると燃料は燃料だめ６４から、オリフィス６５を通り噴出される。この噴出した燃料に、空気通路６６から流入する微粒化用空気を当てる。このため燃料は空気の運動エネルギーにより、１００μｍ以下の小さな粒子に分裂する。この小さな粒子は、噴出孔６７から吸気管６８に噴出する。この、小さな燃料粒子を形成する噴射弁により、ＨＣ排出量を平滑化する。
【００３３】
　本実施例による、燃料の状況を図４３に示す。燃料粒子が大きい従来の噴射弁では、吸気管６８に燃料の液膜が形成される。このため、エンジンに入る燃料量が大きく変動する。一方、本実施例のように小さな燃料粒子の場合には、蒸発が早く、空気流に乗りやすいので、吸気管６８には付着せずに液膜も形成されない。このため、燃焼室６９の中にも液状の燃料がなく、均一になっているので、燃焼が均一で完全燃焼に近くなり、エンジンからのＨＣ排出量は平滑化される。従来の粗大燃料粒子による、排気ガスの排出状況を図
４４に示す。図１３に示したように、従来ＨＣは、排気行程の初期と後期に排気管に排出される。一方ＮＯｘの排出は行程中平均化されている。このため、ＮＯｘ，ＨＣ比が時間的に変動して、効率の良い値に保つことができない。図４５に、触媒１のあとの浄化後の
ＨＣ，ＮＯｘの濃度を示した。ＨＣ濃度が排気行程中で変動しているので、ＮＯｘ，ＨＣとも排気行程中で浄化されたり、されなかったりする。
【００３４】
　図４６に、本実施例での効果を示した。エンジンに供給する燃料粒子が小さいので、
ＨＣ排出量は平均化されている。このため、排気行程中でＮＯｘとＨＣの比が一定になっている。この効果により触媒１は、常に浄化効率の最もよい排気濃度で動作される。触媒１後の、ＨＣ，ＮＯｘの濃度を、図４７に示した。両者とも浄化されているのがわかる。燃料粒子を小さくした噴射弁を用いることは、ＮＯｘ分解触媒にとって効果的である。
【００３５】
　図４８に、別のＨＣ平滑化法を示した。吸気管６８に、吸気に旋回流を与えるスワールコントロールバルブ（ＳＣＶ）７０を設けた。このバルブ７０により、燃焼室内に渦流が形成され、吸入された燃料が撹拌され、均一化される。このため、燃料粒子を小さくした図４１の実施例と同様の効果がえられる。つまり、排出されるＨＣの濃度が平滑化され、ＮＯｘ，ＨＣ比が最適な値となり、触媒１の浄化効率が良くなる。このように、スワールコントロールバルブ（ＳＣＶ）７０とＮＯｘ分解触媒の組み合わせは効果的である。
【００３６】
　図４９に、別のＨＣ平滑化法を示した。図４９に示したように、燃焼室６９内に縦の渦流７１を作るような吸気管７２を設けた。この吸気管７２は、通常の吸気管６８より、吸気バルブステイ７３方向から吸気が流れ込むようになっている。この縦渦流は、ピストンが上昇する圧縮行程でも渦は維持されている。このため、燃焼室７１内の燃料は良く撹拌され、混合気が均一化される。その状況を、図５０に示した。燃焼室７１内の混合気が均一化されるので、ＨＣ排出量が平滑化され、触媒１の浄化効率が良くなる。噴射弁７４は、気流により燃料を微粒化する噴射弁でもよい。
【００３７】
　図５１に、別のＨＣ平滑化法を示した。燃焼室７１内に吸入される吸気８０は、吸気行程中、図５２にあるようにある程度は旋回している。この吸気行程中の旋回流中に燃料を噴射すると、燃焼室７１内で燃料は撹拌され混合気が均一化される。図５３に示したように、吸気行程の後期は旋回流が強くなっており、燃料撹拌の効果が大きい。また、吸気行程の後半に燃料を噴射すると、ピストン８１の頭部に燃料が付着し、たまることがないので、排気行程後期のＨＣ排出量の増大がない。このように、吸気行程中に燃料を噴射すると、ＨＣの排出量が平滑化されるので、ＮＯｘ分解触媒１の浄化効率は高い。なお、噴射弁７４は、気流により燃料を微粒化する噴射弁でもよい。図５４に、各気筒の燃料の噴射時期を示した。吸気行程は（イ）であり、この吸気行程中に燃料を噴射（ロ）する。
【００３８】
　図５５に、別の実施例を示した。これは、図５５に示したように、リーン空燃比領域でＮＯｘ／ＨＣが最適になる空燃比が複数（イ）あった場合に、そのなかでも最もリーンな空燃比(ロ）を制御目標にするものである。しかし、リーン限界空燃比(ハ）より大きくなったら、リーン限界空燃比を制御目標とする。制御のフローを図５６に示す。初めに、ステップ５６０で目標空燃比に設定し、ステップ５６１でＮＯｘ／ＨＣを検出する。この値が、ステップ５６２で許容範囲内と判断したら、ステップ５６３で目標空燃比をリーン化する。ステップ５６５でこのリーン化した空燃比がリーン限界空燃比より小さい場合は、ステップ５６７でリーン化した空燃比下空燃比に制御する。リーン化した空燃比がリーン限界空燃比より大きい場合は、目標空燃比のリーン化は行わない。また、ステップ５６３で許容範囲外と判断された場合、ステップ５６４で目標空燃比を許容範囲内に変更し、ステップ５６６でこの新しい目標空燃比に制御する。
【００３９】
　図５７に、別の実施例を示した。この実施例は吸気バルブの動作タイミングを変化させて、ＨＣ排出量を平滑化する手段である。図５７に、排気行程のＨＣ排出量を示した。ピストン頭部，シリンダ上部に付着した燃料液膜が排気行程初期と後期に排出される。このＨＣの変動を低減する必要がある。本実施例では、点線のようにＨＣ排出量を平滑化する。図５８に、排気，吸気バルブの動作タイミングを示し、従来の動作を実線で示した。排気，吸気バルブはＴＤＣ付近でオーバーラップしている。低温始動時，始動暖機時，アイドル運転時等のＨＣ排出量の多い時には、排気バルブの動作を点線のように変化させる。この動作により、排気管中に排出されるＨＣが吸気管中に戻される（内部還流）。このため、排気管に直接流出するＨＣが少なくなるので、ＨＣ排出量が平滑化される。図５９に、各行程のシリンダ内のＨＣ分布を示した。排気行程で早めに排気バルブ９１を締めるので、黒丸で示したピストン頭部のＨＣは、排気管２に排出されない。このため、吸気行程初期に吸気バルブ９２が開くと、ＨＣは吸気管７２に戻される（内部還流）。このＨＣは、吸気行程中に再びシリンダ７１内に吸気され、吸気後期にはシリンダ内に分散する。このように、ＨＣをシリンダ７１内に分散し、再燃焼させると、図５７の点線に示したように全体量が低減し、かつ平滑化される。
【００４０】
　図６０に、図５７ないし図５９の動作を実現するための装置を示した。吸気バルブ９２,排気バルブ９１をカム９３ａ,９３ｂで上下動させる。このカムの形状を駆動装置９４ａ，９４ｂで変化させる。ＨＣ平滑化のためには、排気バルブ９１の動作なので、駆動装置９４ｂを作動すればよい。このように、バルブタイミングを可変にすることにより、NOx分解触媒１の浄化効率が向上する。図６１に、カム形状の可変方法を示す。カム９３ｂは、カムフェイス形状が（イ），（ロ）で異なっている。このため、駆動装置９４ｂによりカム９３ｂを左右に移動させると、カムフェイス形状が変化する。
【図面の簡単な説明】
【００４１】
【図１】実施例の全体構成図。
【図２】触媒の浄化原理図。
【図３】触媒の浄化原理図。
【図４】触媒の浄化特性図。
【図５】触媒の浄化特性図。
【図６】濃度検出器の構成図。
【図７】図６のＡ−Ａ断面図。
【図８】透過率特性図。
【図９】濃度検出器の特性図。
【図１０】ＮＯｘ／ＨＣを得る構成図。
【図１１】制御空燃比を示した図。
【図１２】ＨＣ排出の原理図。
【図１３】ＨＣ排出特性図。
【図１４】ＨＣ平滑装置の構成図。
【図１５】他のＨＣ平滑装置の構成図。
【図１６】ＨＣ排出特性図。
【図１７】ＨＣ排出特性図。
【図１８】触媒温度特性図。
【図１９】温度制御装置の構成図。
【図２０】制御のフローチャート。
【図２１】制御のフローチャート。
【図２２】別の実施例の構成図。
【図２３】排気濃度特性図。
【図２４】排気濃度特性図。
【図２５】制御のフローチャート。
【図２６】排気濃度マップ図。
【図２７】ＮＯｘ／ＨＣ補正方法を示す図。
【図２８】ＨＣ排出の特性図。
【図２９】筒内圧力特性図。
【図３０】制御のフローチャート。
【図３１】別の実施例の構成図。
【図３２】ＥＧＲ特性図。
【図３３】制御のフローチャート。
【図３４】別の実施例の構成図。
【図３５】ＨＣ，ＮＯｘ濃度特性図。
【図３６】制御のフローチャート。
【図３７】制御のフローチャート。
【図３８】別の実施例の構成図。
【図３９】排気温度の特性図。
【図４０】制御のフローチャート。
【図４１】別の実施例の構成図。
【図４２】噴射弁の断面図。
【図４３】別の実施例の構成図。
【図４４】ＨＣ排出特性図。
【図４５】ＨＣ浄化特性図。
【図４６】排気排出量の特性図。
【図４７】ＨＣ，ＮＯｘ浄化特性図。
【図４８】別の実施例の構成図。
【図４９】吸気流れ図。
【図５０】混合気状態図。
【図５１】別の実施例の構成図。
【図５２】吸気流れ図。
【図５３】吸気流れ図。
【図５４】吸気行程と燃料噴射時期の関係図。
【図５５】排気特性図。
【図５６】制御のフローチャート。
【図５７】ＨＣ排出特性図。
【図５８】バルブタイミング特性図。
【図５９】工程説明図。
【図６０】別の実施例の構成図。
【図６１】可変バルブの構成図。
【符号の説明】
【００４２】
　１…ＮＯｘ分解触媒、３…エンジン、４…加熱，冷却系、５…マイクロコンピュータ、７…濃度センサ、８…ＨＣ平滑部材、２５…吸着材、３０…加熱電源、４０…酸化触媒、５０…濃度センサ、５１…排気還流配管、６０…気流微粒化噴射弁、７０…スワールコントロールバルブ、９４…カム駆動装置。
【図１】
2004076743.tif 000003
【図２】
2004076743.tif 000004
【図３】
2004076743.tif 000005
【図４】
2004076743.tif 000006
【図５】
2004076743.tif 000007
【図６】
2004076743.tif 000008
【図７】
2004076743.tif 000009
【図８】
2004076743.tif 000010
【図９】
2004076743.tif 000011
【図１０】
2004076743.tif 000012
【図１１】
2004076743.tif 000013
【図１２】
2004076743.tif 000014
【図１３】
2004076743.tif 000015
【図１４】
2004076743.tif 000016
【図１５】
2004076743.tif 000017
【図１６】
2004076743.tif 000018
【図１７】
2004076743.tif 000019
【図１８】
2004076743.tif 000020
【図１９】
2004076743.tif 000021
【図２０】
2004076743.tif 000022
【図２１】
2004076743.tif 000023
【図２２】
2004076743.tif 000024
【図２３】
2004076743.tif 000025
【図２４】
2004076743.tif 000026
【図２５】
2004076743.tif 000027
【図２６】
2004076743.tif 000028
【図２７】
2004076743.tif 000029
【図２８】
2004076743.tif 000030
【図２９】
2004076743.tif 000031
【図３０】
2004076743.tif 000032
【図３１】
2004076743.tif 000033
【図３２】
2004076743.tif 000034
【図３３】
2004076743.tif 000035
【図３４】
2004076743.tif 000036
【図３５】
2004076743.tif 000037
【図３６】
2004076743.tif 000038
【図３７】
2004076743.tif 000039
【図３８】
2004076743.tif 000040
【図３９】
2004076743.tif 000041
【図４０】
2004076743.tif 000042
【図４１】
2004076743.tif 000043
【図４２】
2004076743.tif 000044
【図４３】
2004076743.tif 000045
【図４４】
2004076743.tif 000046
【図４５】
2004076743.tif 000047
【図４６】
2004076743.tif 000048
【図４７】
2004076743.tif 000049
【図４８】
2004076743.tif 000050
【図４９】
2004076743.tif 000051
【図５０】
2004076743.tif 000052
【図５１】
2004076743.tif 000053
【図５２】
2004076743.tif 000054
【図５３】
2004076743.tif 000055
【図５４】
2004076743.tif 000056
【図５５】
2004076743.tif 000057
【図５６】
2004076743.tif 000058
【図５７】
2004076743.tif 000059
【図５８】
2004076743.tif 000060
【図５９】
2004076743.tif 000061
【図６０】
2004076743.tif 000062
【図６１】
2004076743.tif 000063
【手続補正書】
【提出日】平成15年12月10日(2003.12.10)
【手続補正１】
【補正対象書類名】特許請求の範囲
【補正対象項目名】全文
【補正方法】変更
【補正の内容】
【特許請求の範囲】
【請求項１】
　内燃機関の排気ガスを触媒を用いて浄化する排気浄化装置において、ＨＣ平滑手段を設けると共に前記触媒の浄化効率が良くなるように、複数の排気成分の濃度をある特定の値になるようにすることを特徴とする排気濃度フィードバック装置。
【請求項２】
　内燃機関の排気ガスを触媒を用いて浄化する排気浄化装置において、前記触媒の浄化効率が良くなるように吸気バルブまたは排気バルブのバルブタイミングの少なくともいずれかを変化させ、複数の排気成分の濃度をある特定の値になるようにすることを特徴とする排気濃度フィードバック装置。
【請求項３】
　請求項１において、前記ＨＣ平滑手段は、スワールコントロールバルブであることを特徴とする排気濃度フィードバック装置。
【請求項４】
　請求項１において、前記ＨＣ平滑手段は、吸気バルブまたは排気バルブのバルブタイミングを変化させることを特徴とする排気濃度フィードバック装置。
【請求項５】
　請求項１又は２のいずれかにおいて、複数の排気成分の濃度比をある特定の値になるようにすることを特徴とする排気濃度フィードバック装置。
【請求項６】
　請求項１又は２のいずれかにおいて、エンジンに供給する空燃比を制御することにより、複数の排気成分の濃度をある特定の値になるようにすることを特徴とする排気濃度フィードバック装置。
【請求項７】
　請求項１又は２のいずれかにおいて、複数の排気成分のうち、少なくとも一つの排気成分の濃度を変化させることのできる装置を設けたことを特徴とする排気濃度フィードバック装置。
【請求項８】
　請求項１又は２のいずれかにおいて、複数の排気成分の濃度の少なくとも一つを検出する装置を設けたことを特徴とする排気濃度フィードバック装置。
【請求項９】
　請求項１又は２のいずれかにおいて、複数の排気成分の濃度の少なくとも一つを機関の運転状態から推定することを特徴とする排気濃度フィードバック装置。
【請求項１０】
　請求項１又は２のいずれかにおいて、前記触媒はＮＯｘを酸化雰囲気でも分解することのできる触媒としたことを特徴とする排気濃度フィードバック装置。
【手続補正２】
【補正対象書類名】明細書
【補正対象項目名】０００５
【補正方法】変更
【補正の内容】
【０００５】
　上記目的は、内燃機関の排気ガスを触媒を用いて浄化する排気浄化装置において、ＨＣ平滑手段を設けると共に前記触媒の浄化効率が良くなるように、複数の排気成分の濃度をある特定の値になるようにすることを特徴とする排気濃度フィードバック装置によって達成される。
　また、上記目的は内燃機関の排気ガスを触媒を用いて浄化する排気浄化装置において、前記触媒の浄化効率が良くなるように吸気バルブまたは排気バルブのバルブタイミングを変化させ、複数の排気成分の濃度をある特定の値になるようにすることを特徴とする排気濃度フィードバック装置によっても達成される。